(57)【要約】【課題】各受信機までの同軸ケーブルの敷設が不要で、複雑な地形の難視聴地区に柔軟に対処できる共同受信システムを提供する。【解決手段】送信局から出力された放送波は、電波障害となる高層ビルの屋上等に設置された共同受信用の受信アンテナで受信され、ヘッドエンド装置で増幅される。増幅された放送波は、同軸ケーブルを介してビル陰地区の送信柱の上に配置された中継送信機に送られる。中継送信機は中継用の増幅器と分岐器を有しており、分岐された一方の信号は更に同軸ケーブルを介して後段の中継送信機へ送られる。分岐された他方の信号は、中継送信機に接続された再送信用の送信アンテナから微弱な電波で送信される。各家庭では受信アンテナを中継送信機の送信アンテナに向けることにより、放送波を受信することができる。【選択図】　　　図１
2004048141.tif 000002
【特許請求の範囲】
【請求項１】
放送局から出力される電波を受ける受信アンテナと、
前記受信アンテナで受けた電波から再送信の対象となる放送波を選択受信し、そのレベルを調整して出力する受信機と、
前記受信機から与えられる入力信号を所定のレベルに増幅して出力する主増幅機と、
入力端子に入力された信号を増幅して分岐し、出力端子に出力すると共に送信アンテナから送信する中継送信機と、
前記主増幅機の出力側と前記中継送信機の入力端子の間を接続する第１のケーブルと、
前記中継送信機の出力端子とその後段の中継送信機の入力端子の間を接続する第２のケーブルとを、
備えたことを特徴とする共同受信システム。
【請求項２】
前記主増幅機は、
前記受信機から与えられた入力信号を所定のレベルに増幅する増幅器と、
前記受信機から与えられた入力信号のレベルを検出するレベル検出器と、
前記レベル検出器で検出された入力信号のレベルに対応したレベルのパイロット信号を生成するパイロット発振器と、
前記増幅器の出力信号に前記パイロット信号を混合して出力する混合器とを備え、
前記中継送信機は、
前記入力端子に入力された信号の中から前記パイロット信号を抽出するフィルタと、
前記フィルタで抽出されたパイロット信号のレベルに応じた出力レベルとなるように、前記入力端子に入力された信号を増幅する増幅器とを備えた、
ことを特徴とする請求項１記載の共同受信システム。
【請求項３】
前記主増幅機は、
前記受信機から与えられた入力信号を所定のレベルに増幅する増幅器と、
前記増幅器の出力レベルを検出するレベル検出器と、
前記レベル検出器で検出された出力レベルに対応したレベルのパイロット信号を生成するパイロット発振器と、
前記増幅器の出力信号に前記パイロット信号を混合して出力する混合器とを備え、
前記中継送信機は、
前記入力端子に入力された信号の中から前記パイロット信号を抽出するフィルタと、
前記フィルタで抽出されたパイロット信号のレベルに応じた出力レベルとなるように、前記入力端子に入力された信号を増幅する増幅器とを備えた、
ことを特徴とする請求項１記載の共同受信システム。
【請求項４】
前記主増幅機は、
前記受信機から与えられた入力信号を所定のレベルに増幅する増幅器と、
前記受信機から与えられた入力信号のレベルを検出するレベル検出器と、
前記レベル検出器で検出された入力レベルをディジタル値に変換するアナログ・ディジタル変換器と、
前記ディジタル値に基づいて制御データを生成するプロセッサと、
前記制御データを変調して送信データ信号を生成する変調器と、
前記増幅器の出力信号に前記送信データ信号を混合して出力する混合器とを備え、
前記中継送信機は、
前記入力端子に入力された信号の中から前記送信データ信号を抽出して前記制御データに復調する復調器と、
前記復調器で復調された制御データに応じた出力レベルとなるように、前記入力端子に入力された信号を増幅する増幅器とを備えた、
ことを特徴とする請求項１記載の共同受信システム。
【請求項５】
前記中継送信機は、前記入力端子に入力された信号を増幅する増幅器の出力信号中の雑音レベルを監視し、該雑音レベルが一定の値を越えたときに該増幅器の出力を停止させるためのスケルチ制御器を備えたことを特徴とする請求項２、３または４記載の共同受信システム。
【請求項６】
前記中継送信機は、前記入力端子に入力された信号を増幅する増幅器の出力信号中のパイロット信号を監視し、該パイロット信号が検出されないときに該増幅器の出力を停止させるためのスケルチ制御器を備えたことを特徴とする請求項２、３または４記載の共同受信システム。
【発明の詳細な説明】
【０００１】
【発明の属する技術分野】
【０００２】
本発明は、放送局からの地上波を直接受信することができないビル陰地区等で、共同アンテナで受信した電波を各受信機へ再送信する共同受信システムに関するものである。
【０００３】
【従来の技術】
【０００４】
現行の地上テレビ放送では、高層ビルや高速道路等の陰で電波の受信電界が低くなって受信が困難な難視聴地区に対して、共同アンテナで受信した電波を各受信機へ再送信する共同受信システムが用いられている。
【０００５】
従来の共同受信システムでは、高層ビルの屋上に受信アンテナと送信アンテナを設け、受信アンテナで放送局からの電波を受信し、所定の電力に増幅して送信アンテナから難視聴地区に同一の周波数で再送信を行うようにしている。また、送信アンテナの代わりに同軸ケーブルを用いて、難視聴地区の各受信機まで有線で伝送するＣＡＴＶシステムも使用されている。
【０００６】
【発明が解決しようとする課題】
【０００７】
しかしながら、従来の共同受信システムでは、次のような課題があった。
【０００８】
送信用のアンテナで再送信を行う場合、１本のアンテナを用いて難視聴地区を適切な状態でカバーすることが困難であった。例えば、送信用のアンテナを設備した高層ビルの直下には電波が届かず、受信することができない。また、高層ビルに近辺では、受信用のアンテナを上向きに設置しなければならないが、通常の受信アンテナは水平方向に設置するようにできており、仰角を持たせて固定することが困難であった。更に、遠方では放送局からの電波と共同受信システムの送信用のアンテナからの電波が干渉して、新たな受信障害を引き起こすことがあった。
【０００９】
一方、同軸ケーブルを用いて各受信機まで有線で伝送する場合には、ケーブルや中継増幅器等の工事のために多額の費用を必要とするという課題があった。
【００１０】
本発明は、前記従来技術が持っていた課題を解決し、各受信機までの同軸ケーブルの敷設が不要で、かつ複雑な地形の難視聴地区に柔軟に対処できる共同受信システムを提供するものである。
【００１１】
【課題を解決するための手段】
【００１２】
前記課題を解決するために、本発明は、難視聴地区における共同受信システムを、放送局から出力される電波を受ける受信アンテナと、前記受信アンテナで受けた電波から再送信の対象となる放送波を選択受信し、そのレベルを調整して出力する受信機と、前記受信機から与えられる入力信号を所定のレベルに増幅して出力する主増幅機と、入力端子に入力された信号を増幅して分岐し、出力端子に出力すると共に送信アンテナから送信する中継送信機と、前記主増幅機の出力側と前記中継送信機の入力端子の間を接続する第１のケーブルと、前記中継送信機の出力端子とその後段の中継送信機の入力端子の間を接続する第２のケーブルとで構成している。
【００１３】
本発明によれば、以上のように共同受信システムを構成したので、次のような作用が行われる。
【００１４】
放送局から出力された電波は、高層ビルの屋上等に設置された受信アンテナで受けられ、受信機によって再送信の対象となる放送波が選択受信される。放送波は、受信機でレベル調整が行われた後、主増幅器で所定のレベルに増幅されて第１のケーブルを介して中継送信機へ送信される。中継送信機では、入力端子に入力された信号が増幅及び分岐され、一方の信号は出力端子に出力され、他方の信号は送信アンテナから送信される。
【００１５】
更に、中継送信機の出力端子には、第２のケーブルを介して後段の中継送信機が接続され、複数の中継送信機を直列に接続することができるようになっている。各中継送信機は、再送信用の放送波を出力する送信アンテナを有しているので、難視聴地区の家庭の受信アンテナを、この送信アンテナに向けることにより、再送信された放送波を受信することができる。
【００１６】
【発明の実施の形態】
【００１７】
（第１の実施形態）
【００１８】
図１は、本発明の第１の実施形態を示す共同受信システムの概念図である。
【００１９】
この共同受信システムは、高層ビルのビル陰地区等で送信局からの放送電波を直接受信することができない家庭に対して、微弱な電波を使用して再送信を行うものである。この共同受信システムでは、送信局から電波を直接受信できる高層ビルの屋上等に設置された共同受信用の受信アンテナを有している。受信アンテナには、再送信の対象となる放送波を選択して受信する受信機と、受信した放送波を増幅する主増幅器からなるヘッドエンド装置が接続されている。
【００２０】
一方、ビル陰の難視聴地区は、道路の区画等に従って複数のエリアに区分され、各エリア毎に送信柱が設けられている。送信柱には再送信用の電波を微弱な電力で出力する中継送信機が取り付けられ、ヘッドエンド装置とこれらの中継送信機の間は、同軸ケーブルを介して直列または並列に接続されている。各家庭の受信アンテナは、最寄りの中継送信機に向けて設置され、この中継送信機から微弱な電力で再送信される放送波を受信するようになっている。
【００２１】
図２は、図１の共同受信システムの具体的な構成図である。
【００２２】
この共同受信システムは、高層ビルの屋上等に設置された共同受信用の受信アンテナ１１を備え、この受信アンテナ１１に受信機１２と主増幅機２０で構成されるヘッドエンド装置が接続されている。
【００２３】
受信機１２は、受信アンテナ１１で受けた再送信対象のテレビジョン放送やＦＭ放送等の放送波を、各チャネル毎に受信して所定のレベルに調整し、その混合波を出力するものである。受信機１２の出力側は、主増幅機２０の入力端子２１に接続されている。主増幅機２０は、再送信用の放送波を増幅を所定のレベルに増幅し、これに入力レベルに対応したレベルのパイロット信号を付加して出力するものである。
【００２４】
主増幅機２０の入力端子２１には分岐器２２が接続され、この分岐器２２の第１と第２の出力側に、それぞれ広帯域の増幅器（ＡＭＰ）２３とレベル検出器２４が接続されている。増幅器２３の出力側は、可変減衰器（ＡＴＴ）２５を介して、自動利得調整用の増幅器２６に接続されている。増幅器２６の出力側は分岐器２７に接続され、この分岐器２７の第１の出力側が混合器２８の第１の入力側に接続されている。
【００２５】
分岐器２７の第２の出力側は、利得制御器２９の入力側に接続され、この利得制御器２９の出力信号によって可変減衰器２５の減衰量が制御され、増幅器２６の出力レベルが一定のレベルに保持されるようになっている。
【００２６】
主増幅機２０は、更に特定の周波数のパイロット信号ＰＩＬを発生するパイロット発振器３０を有し、このパイロット発振器３０の出力側が、レベル検出器２４の出力信号で制御される可変減衰器３１の入力側に接続されている。これにより、入力端子２１に与えられる放送波の入力レベルに対応したレベルのパイロット信号ＰＩＬが、可変減衰器３１から出力されるようになっている。可変減衰器３１の出力側は、混合器２８の第２の入力側に接続され、この混合器２８の出力側が出力端子３２に接続されている。
【００２７】
主増幅機２０の出力端子３２は、ケーブル４０を介して中継送信機５０の入力端子５１に接続されるようになっている。
【００２８】
中継送信機５０の入力端子５１には分岐器５２が接続され、この分岐器５２の第１と第２の出力側に、それぞれ広帯域の増幅器５３と帯域通過フィルタ（ＢＰＦ）５４が接続されている。帯域通過フィルタ５４は、パイロット信号ＰＩＬの周波数成分のみを通過させるものである。増幅器５３の出力側は可変減衰器５５を介して増幅器５６に接続され、この増幅器５６の出力側が分岐器５７に接続されている。分岐器５７の第１の出力側は分岐器５８に接続され、第２の出力側が出力制御器５９とスケルチ制御器６０に接続されている。
【００２９】
出力制御器５９は、分岐器５７を介して与えられる増幅器５６の信号レベルと、帯域通過フィルタ５４から与えられるパイロット信号ＰＩＬのレベルに基づいて、可変減衰器５５に対する制御信号を出力するものである。これにより、可変減衰器５５から増幅器５６に与えられる信号レベルが、パイロット信号ＰＩＬのレベルに対応した値に制御されるようになっている。
【００３０】
スケルチ制御器６０は、増幅器５６から出力される信号中の雑音レベルを検出し、この雑音レベルが一定値を越えたときに、有効な信号が途絶えたと判定して、可変減衰器５５の減衰量を最大値にするものである。これにより、入力信号が途絶えたときに、中継送信機５０から強大な雑音の出力が防止できるようになっている。
【００３１】
分岐器５８の第１と第２の出力側は、それぞれ出力端子６１，６２に接続されている。出力端子６１には、ケーブル７０を介して次段の中継送信機が接続され、出力端子６２には、再送信用の送信アンテナ８０が接続されるようになっている。
【００３２】
次に、図２の動作を説明する。
【００３３】
高層ビルの屋上等に設置された共同受信用の受信アンテナ１１によって、テレビジョン放送やＦＭ放送等の放送波が受信され、受信機１２に与えられる。受信機１２では、受信アンテナ１１で受信された放送波の中から、再送信の対象となる放送波が選択され、各チャネル毎に所定のレベルに調整されてその混合波が出力される。受信機１２から出力された混合波は、主増幅機２０の入力信号として入力端子２１から入力される。入力信号は分岐器２２で２つに分岐され、その大部分が増幅器２３へ与えられて増幅されると共に、一部がレベル検出器２４へ与えられる。
【００３４】
増幅器２３の出力信号は、可変減衰器２５を介して利得制御用の増幅器２６へ入力され、この増幅器２６で増幅された後、分岐器２７で分岐されてその一部が利得制御器２９へ与えられる。利得制御器２９では、増幅器２６の出力レベルが一定になるような制御信号が生成され、可変減衰器２５の減衰量が制御される。この利得制御器２９と可変減衰器２５によるフィードバック動作により、増幅器２６の出力レベルは、所定のレベルに保持される。
【００３５】
また、分岐器２２で分岐された一部の入力信号は、レベル検出器２４でレベルが検出され、その平均レベルに対応した電圧が可変減衰器３１へ制御電圧として与えられる。一方、可変減衰器３１の入力側には、パイロット発振器３０から所定の周波数で一定レベルのパイロット信号ＰＩＬが与えられている。これにより、可変減衰器３１の出力側から、主増幅機２０の入力信号の平均レベルに対応したレベルのパイロット信号ＰＩＬが出力される。
【００３６】
分岐器２７で分岐された増幅器２６の出力信号の大部分と、可変減衰器３１で入力信号の平均レベルに対応したレベルに設定されたパイロット信号ＰＩＬは、混合器２８で混合されて出力端子３２からケーブル４０へ送出される。
【００３７】
ケーブル４０へ送出された主増幅機２０の出力信号は、中継送信機５０へ送られて分岐器５２で２つに分岐され、その大部分が増幅器５３与えられて増幅されると共に、一部が帯域通過フィルタ５４へ与えられる。帯域通過フィルタ５４において、パイロット信号ＰＩＬが抽出されて出力制御器５９に与えられる。また、増幅器５３の出力信号は、可変減衰器５５を介して利得制御用の増幅器５６へ入力され、この増幅器５６で増幅された後、分岐器５７で分岐されてその一部が出力制御器５９とスケルチ制御器６０へ与えられる。
【００３８】
出力制御器５９では、増幅器５６から出力されて分岐器５７で分岐された信号レベルと、帯域通過フィルタ５４で抽出されたパイロット信号ＰＩＬのレベルが比較され、増幅器５６の出力レベルがパイロット信号ＰＩＬのレベルに対応した値となるような制御信号が生成され、可変減衰器５５の減衰量が制御される。この出力制御器５９と可変減衰器５５によるフィードバック動作により、増幅器５６の出力レベルは、この中継送信機５０に与えられるパイロット信号ＰＩＬのレベルに応じたレベルに保持される。
【００３９】
また、分岐器５７で分岐された一部の信号は、スケルチ制御器６０で雑音レベルが検出される。スケルチ制御器６０では、雑音レベルが一定値を越えると、可変減衰器５５の減衰量を最大値にするための制御信号が出力される。これにより、入力信号が途絶えたときに、中継送信機５０からの雑音出力が防止される。分岐器５７で分岐された大部分の信号は、更に分岐器５８で分岐されて出力端子６１，６２から出力される。
【００４０】
出力端子６２には、再送信用の送信アンテナ８０が接続されており、この送信アンテナ８０から微弱な電波が、難視聴地区のエリアに送信される。
【００４１】
一方、出力端子６１には、ケーブル７０が接続され、このケーブル７０には、更に同様の中継送信機が接続されている。このように、ケーブル７０を介して複数の中継送信機５０が各エリアに直列に接続され、これらのエリア毎に、送信アンテナ８０から同一の微弱な電波が出力される。
【００４２】
従って、各家庭では受信アンテナを最寄りの送信アンテナ８０に向けることにより、再送信された放送波を受信することができる。
【００４３】
以上のように、この第１の実施形態の共同受信システムは、次のような利点がある。
【００４４】
（１）　中継送信機５０から各家庭の受信機までの間は、微弱な電波を用いて放送波を再送信しているので、各受信機まで同軸ケーブルを敷設する必要がない。
【００４５】
（２）　難視聴地区を複数のエリアに分けて、各エリア毎に中継送信機５０と送信アンテナ８０を設けているので、複雑な地形の難視聴地区に柔軟に対処することができる。
【００４６】
（３）　主増幅機２０において、放送波と共に、入力信号のレベルに対応したパイロット信号ＰＩＬを出力し、各中継送信機５０では、受信したパイロット信号ＰＩＬのレベルに合わせるように増幅器５６の出力を調整するように構成している。これにより、受信アンテナ１１の受信電界とほぼ同じ強度で、各中継送信機５０の送信アンテナ８０から放送波を再送信することができる。
【００４７】
（４）　難視聴地区には、複数の送信アンテナ８０が配置されるので、各家庭の受信アンテナを適切な送信アンテナ８０へ向けることにより、元の放送波との電波干渉を避けることができる。
【００４８】
（第２の実施形態）
【００４９】
図３は、本発明の第２の実施形態を示す主増幅機の構成図である。この主増幅機２０Ａは、図２中の主増幅機２０に代えて設けられるもので、同図中の要素と共通の要素には共通の符号が付されている。
【００５０】
この主増幅機２０Ａは、図２における分岐器２２を削除すると共に、レベル検出器２４に代えてレベル検出器２４Ａを設け、分岐器２７の第２の出力側をこのレベル検出器２４Ａの入力側に接続したものである。レベル検出器２４Ａの出力信号は可変減衰器３１の制御信号として与えられるようになっている。その他の構成は図２中の主増幅機２０と同様である。
【００５１】
この主増幅機２０Ａでは、出力信号に混合されるパイロット信号ＰＩＬのレベルが、増幅後の入力信号レベル、即ち出力信号のレベルで制御されることになる。主増幅機２０Ａの入出力レベルは、自動利得制御によって常に一定の関係にあるので、図２の主増幅器２０と同様に、入力信号のレベルに対応したレベルのパイロット信号ＰＩＬを出力することができる。
【００５２】
この第２の実施形態では、前記（１）〜（４）の利点に加えて次のような利点がある。
【００５３】
（５）　レベル検出器２４Ａの入力レベルが高くなるので構成が簡素化され、かつ分岐器２２が不要になり、回路の簡素化と更に安定した動作が可能になる。
【００５４】
（第３の実施形態）
【００５５】
図４は、本発明の第３の実施形態を示す共同受信システムの構成図であり、図２中の要素と共通の要素には共通の符号が付されている。
【００５６】
この共同受信システムでは、入力信号のレベルを示すアナログのパイロット信号に代えて、入力信号のレベルの測定値をディジタルのデータで送信するようにしたものである。このため、図４では、図２中の主増幅機２０と中継送信機５０に代えて、ディジタル制御方式の主増幅機２０Ｂと中継送信機５０Ｂを設けている。
【００５７】
主増幅機２０Ｂは、図２における主増幅機２０のパイロット発振器３０と可変減衰器５１に代えて、アナログ・ディジタル変換器（以下、「ＡＤＣ」という）３３とプロセッサ（ＣＰＵ）３４と変調器３５を設けたものである。
【００５８】
ＡＤＣ３３は、レベル検出器２４で検出された入力レベルのアナログ信号を、ディジタル値に変換するものである。プロセッサ３４は、ＡＤＣ３３で変換されたディジタル値に基づいて、中継送信機５０Ｂの出力レベルを設定するためのデータＤＡＴを生成するものである。変調器３５は、プロセッサ３４で生成されたデータＤＡＴを変調して、ケーブル４０に送り出すためのものである。変調器３５の出力側は、混合器２８の第２の入力側に接続されている。
【００５９】
一方、中継送信機５０Ｂは、図２における中継送信機５０の帯域通過フィルタ５４と出力制御器５９に代えて、復調器６３と、ＡＤＣ６４と、プロセッサ６５と、ディジタル・アナログ変換器（以下、「ＤＡＣ」という）６６を設けたものである。
【００６０】
復調器６３は、分岐器５２で分岐された信号の中から変調信号を抽出して元のデータＤＡＴを復元するものである。復調器６３で復元されたデータＤＡＴは、プロセッサ６５に与えられるようになっている。ＡＤＣ６４は、分岐器５７で分岐された中継送信機５０Ｂの出力信号のレベルを、ディジタル値に変換するものである。ＡＤＣ６４で得られたディジタル値は、プロセッサ６５へ与えられるようになっている。
【００６１】
プロセッサ６５は、復調器６３から与えられるデータＤＡＴと、ＡＤＣ６４から与えられるディジタル値に基づいて、可変減衰器５５を制御するための制御信号を生成するものである。プロセッサ６５で生成された制御信号は、ＤＡＣ６６へ与えられ、このＤＡＣ６６によってアナログの制御信号に変換されて可変減衰器５５の制御信号として与えられるようになっている。その他の構成は、図２と同様である。
【００６２】
この共同受信システムでは、受信機１２から主増幅機２０Ａに与えられた入力信号は分岐器２２で分岐され、その一部がレベル検出器２４に与えられて平均レベルが検出された後、ＡＤＣ３３によって入力信号のレベルに対応したディジタル値に変換される。ディジタル値はプロセッサ３４に与えられ、中継送信機５０Ｂの出力レベルを設定するためのデータＤＡＴが生成される。データＤＡＴは、変調器３５で変調された後、混合器２８で増幅器２６から出力される再送信用の放送波と混合されて、ケーブル４０を介して中継送信機５０Ｂへ送信される。
【００６３】
中継送信機５０Ｂでは、入力信号が分岐器５２で分岐され、その一部が復調器６３に与えられてデータＤＡＴが復元され、プロセッサ６５に与えられる。一方、増幅器５６から出力される中継送信機５０Ｂの出力信号は、分岐器５７で分岐され、その一部がＡＤＣ６４に与えられる。ＡＤＣ６４では、出力信号の平均レベルを示すディジタル値が生成され、プロセッサ６５に与えられる。
【００６４】
プロセッサ６５では、復調器６３から与えられるデータＤＡＴと、ＡＤＣ６４から与えられるディジタル値に基づいて、可変減衰器５５に対する制御信号が生成され、ＤＡＣ６６へ与えられる。ＤＡＣ６６では、プロセッサ６５から与えられた制御信号がアナログの制御信号に変換され、可変減衰器５５へ与えられる。これにより、中継送信機５０Ｂの出力レベルがデータＤＡＴで指定された値となり、送信アンテナ８０から送信されると共に、ケーブル７０を介して次段の中継送信機５０Ｂへ出力される。
【００６５】
以上のように、この第３の実施形態の共同受信システムは、前記（１），（２），（４）の利点に加えて、次のような利点がある。
【００６６】
（６）　主増幅機２０Ｂにおいて、入力信号のレベルに対応したデータＤＡＴを放送波と共に出力し、各中継送信機５０Ｂでは、受信したデータＤＡＴの値に合わせるように増幅器５６の出力を調整するように構成している。これにより、ケーブル４０，７０の伝送損失の変動に影響されず、受信アンテナ１１の受信電界とほぼ同じ強度で、各中継送信機５０Ｂの送信アンテナ８０から放送波を再送信することができる。
【００６７】
なお、本発明は、上記実施形態に限定されず、種々の変形が可能である。この変形例としては、例えば、次のようなものがある。
【００６８】
（ａ）　縦続接続される中継送信機の数が少ない小規模で簡易型のシステムでは、パイロット信号ＰＩＬや入力信号レベルのデータＤＡＴを使用せず、自動利得制御増幅器で構成しても良い。
【００６９】
（ｂ）　主増幅機２０，２０Ａ，２０Ｂは、１つの出力端子３２を有しているが、複数の出力端子３２を設けて複数の中継送信機５０等を接続するようにしても良い。同様に、中継送信機５０，５０Ｂも、複数の出力端子６１を設けて複数の中継送信機５０，５０Ｂを接続できるようにしても良い。
【００７０】
（ｃ）　可変減衰器２５と固定の増幅器２６を組み合わせて自動利得増幅回路を構成しているが、可変利得増幅器を用いても良い。
【００７１】
（ｄ）　スケルチ制御器６０において入力信号が途絶えたことを判断する方法として、中継送信機５０に入力されるパイロット信号ＰＩＬのレベルを監視し、このパイロット信号ＰＩＬが検出されなかったときに有効な信号が途絶えたと判断し、可変減衰器５０の減衰量を最大値にするようにしても良い。
【００７２】
【発明の効果】
【００７３】
以上詳細に説明したように、第１の発明によれば、主増幅機から与えられた信号を増幅して分岐し、出力端子から後段へ出力すると共に、送信アンテナから送信する中継送信機を有している。これにより、各家庭の受信機まで同軸ケーブルを敷設する必要がなく、複雑な地形の難視聴地区に柔軟に対処できる共同受信システムが得られる。
【００７４】
第２の発明によれば、主増幅機は入力信号のレベルを検出するレベル検出器と、この入力信号に対応したレベルのパイロット信号を生成するパイロット発振器を備えている。また、中継送信機は受信したパイロット信号に応じて信号を増幅する増幅器を備えている。これにより、送信アンテナから送信する再送信の放送波のレベルを適切な値に設定することができる。
【００７５】
第３の発明によれば、主増幅機は出力信号のレベルを検出するレベル検出器と、この出力信号に対応したレベルのパイロット信号を生成するパイロット発振器を備えている。また、中継送信機は、受信したパイロット信号に応じて信号を増幅する増幅器を備えている。これにより、送信アンテナから送信する再送信の放送波のレベルを適切な値に設定することができる。
【００７６】
第４の発明によれば、主増幅機は入力信号のレベルを検出するレベル検出器と、検出したレベルをディジタル値に変換するＡＤＣと、このディジタル値に基づいて制御データを生成するプロセッサと、制御データを変調して送信データ信号を生成する変調器を備えている。また、中継送信機は、受信した制御データに応じて信号を増幅する増幅器を備えている。これにより、ケーブルの伝送損失等に影響されず、送信アンテナから送信する再送信の放送波のレベルを適切な値に設定することができる。
【００７７】
第５の発明によれば、中継送信機は、雑音レベルが一定の値を越えたときに増幅器の出力を停止されるスケルチ制御器を備えている。これにより、何らかの理由によって入力信号が途絶えたときに、強力な雑音が出力されるおそれがなくなる。
【００７８】
第６の発明によれば、中継送信機は、パイロット信号が検出されないときに増幅器の出力を停止されるスケルチ制御器を備えている。これにより、第５の発明と同様の効果がある。
【図面の簡単な説明】
【図１】本発明の第１の実施形態を示す共同受信システムの概念図である。
【図２】図１の共同受信システムの具体的な構成図である。
【図３】本発明の第２の実施形態を示す主増幅機の構成図である。
【図４】本発明の第３の実施形態を示す共同受信システムの構成図である。
【符号の説明】
１１　　受信アンテナ
１２　　受信機
２０，２０Ａ，２０Ｂ　　主増幅機
２３，２６，５３，５６　　増幅器
２４　　レベル検出器
２５，３１，５５　　可変減衰器
３０　　パイロット発振器
３３，６４　　ＡＤＣ（アナログ・ディジタル変換器）
３４，６５　　プロセッサ
３５　　変調器
４０，７０　　ケーブル
５０，５０Ｂ　　中継送信機
５４　　帯域通過フィルタ
５９　　出力制御器
６０　　スケルチ制御器
６３　　復調器
６６　　ＤＡＣ（ディジタル・アナログ変換器）
８０　　送信アンテナ
【図１】
2004048141.tif 000003
【図２】
2004048141.tif 000004
【図３】
2004048141.tif 000005
【図４】
2004048141.tif 000006